(57)【要約】【課題】    用紙面に置いて線引き作業や切断作業を行う際に、筆記具やナイフの先端から定規の縁部に加わる力によって定規がずれ動きにくく、用紙面から摘み上げ易く、使用しないときに卓上で邪魔にならない定規が欲しい。【解決手段】  長尺状の両幅縁部の一方（１）に重心（３）を配置し、両幅縁部の他方（２）が水平面（５）から離れる状態と、一方（１）を中心に定規（４）を回転させ水平面（５）に押し当てた状態とを有する定規とする。【選択図】         図１
2011178003.tif 000002
【特許請求の範囲】
【請求項１】
長尺状の両幅縁部の一方に重心が配置される定規であって、
滑らかな水平面に前記定規を置くことで、前記重心が前記水平面に近づき前記両幅縁部の他方が前記水平面から離れる第１状態と、
前記第１状態の前記両幅縁部の他方を指先で押して前記両幅縁部の一方を中心に前記定規を回転させ前記水平面に押し当てた第２状態と、
を有し、
前記第２状態の前記定規から指先を離すことで、前記第１状態に戻ることを特徴とする定規。
【請求項２】
前記両幅縁部の一方に、前記定規の重り以外の部分よりも高密度の前記重りを備える、
請求項１に記載の定規。
【請求項３】
前記両幅縁部の他方に目盛りを備える、
請求項１から請求項２のいずれかに記載の定規。
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端に用紙面から離れる部分を備え、その部分を用紙面に向けて指先で押圧することで定規の他端が用紙面から離れるので、定規を用紙面から容易に摘み上げることができるアイデアが知られている。
【先行技術文献】
【特許文献】
【０００４】
【特許文献１】特開２００６−０５１７８４号公報
【特許文献２】実用新案登録第３１３２７４８号公報
【発明の概要】
【発明が解決しようとする課題】
【０００５】
定規においては、用紙面に置いて線引き作業や切断作業を行う際に、筆記具やナイフの先端から定規の縁部に加わる力によって定規がずれ動きにくいようなアイデアが求められているが、特許文献１のようなアイデアでは様々な人の指先形状や手の大きさに貫通穴の形状やピッチが対応できない。
また、定規においては、用紙面から摘み上げ易いアイデアが求められているが、特許文献２のようなアイデアでは指先で押圧する部分が限定的で小さく、指先に痛みが伴うような強い圧力が加わる恐れがあり、且つ指先で押圧してから摘み上げるということで作業工程が増えてしまっている。
また、定規においては、使用したくなった際に卓上に在ってほしいが、使用しないときに定規が卓上に寝そべっていては邪魔であるし、長尺の定規は引き出し等に収納しにくい。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る定規は、例えば図１及び図２のように、
長尺状の両幅縁部の一方１に重心３が配置される定規４であって、
滑らかな水平面５に定規４を置くことで、重心３が水平面５に近づき両幅縁部の他方２が水平面５から離れる図２左図のような第１状態と、
前記第１状態の他方２を指先で押して一方１を中心に定規４を回転させ水平面５に押し当てた図２右図のような第２状態と、
を有し、
前記第２状態の定規４から指先を離すことで、前記第１状態に戻ることを特徴とする定規である。
【０００８】
発明２に係る定規は、発明１の定規において、
一方１に、定規４の重り６以外の部分よりも高密度の重り６を備える、定規である。
【０００９】
発明３に係る定規は、発明１から発明２のいずれかの定規において、
他方２に目盛り７を備える、定規である。
【発明の効果】
【００１０】
以上のように本発明では、第２状態で他方２を押圧する指先の力と、比較的重くされた一方１に働く重力によって、定規４を水平面５に比較的均一に押し当てることが容易となる。
加えて、第２状態の定規４から指先を離すことで自動的に第１状態に戻るので、すぐに定規４を摘み上げることができる。
加えて、第１状態の定規４は卓上の面積占有率が小さく、線引き等に使用しないときはペーパーウエイトとしても使用できるので、卓上の邪魔者の汚名を返上できる。
【００１１】
また発明２では、本発明の効果に加えて、一方１を比較的小さくできる。
【００１２】
また発明３では、本発明の効果に加えて、長さの測定が可能となる。
【図面の簡単な説明】
【００１３】
【図１】第１実施形態を第三角法で表した正面図と右側面図
【図２】第１実施形態の動作を２段階で表した右側面図
【図３】第２実施形態の第１状態の右側面図
【図４】第３実施形態の第１状態の右側面図
【図５】第４実施形態の第１状態の右側面図
【発明を実施するための形態】
【００１４】
本発明の第１実施形態を図１及び図２に基づいて説明する。
【００１５】
長さ２１センチメートル、幅３センチメートルの透明アクリル製長尺状の定規４は、両幅縁部の一方１が中心線１１を中心とする円柱形状であり、中心線１１に沿うように延びる半円柱形状の炭素鋼が重り６として、他方２から遠い側の円柱形状内にインサート成型されている。また、他方２は薄板状であり、表面８には１ミリメートル刻みの目盛り７が印刷されている。
図２左図の第１状態では、定規４全体の重心３が水平面５に近づく位置で静止している。ここで、他方２付近の表面８を指先で押して水平面５上で一方１の円柱形状の外周１０を転がすようにしてから水平面５に裏面９を押し当てることで、図２右図のような第２状態になる。第２状態では第１状態よりも重心３が水平面５から遠ざかっており、表面８を押していた指先を離すと、外周１０が水平面５上を転がるようにして第１状態に自動的に戻る。
【００１６】
本発明の第２実施形態を図３に基づいて説明する。
【００１７】
第２実施形態は、第１実施形態の構造を小変更したものであるので、変更箇所について記載する。
半円柱形状の重り６は外部に露出して、一方１の円柱形状の半分を構成しており、アクリルに対して接着されている。
【００１８】
本発明の第３実施形態を図４に基づいて説明する。
【００１９】
第３実施形態は、第２実施形態の構造を小変更したものであるので、変更箇所について記載する。
中心線１１及び重心３を含む平面に沿うように定規４の薄板状部分が延びており、図４のような第１状態から、裏面９を指先で押圧して水平面５上で円柱形状の外周１２を転がすようにすることでも第２状態に移行可能である。
【００２０】
本発明の第４実施形態を図５に基づいて説明する。
【００２１】
第４実施形態は、第１実施形態の構造を小変更したものであるので、変更箇所について記載する。
両幅縁部の一方１が中心線１１を外周１０の中心とする半円柱形状であり、透明アクリルによって薄板状部分と一体成型されており、重り６が無くなった為に一方１部分の体積が大きくなっている。
【符号の説明】
【００２２】
１.                                      一方
２.                                      他方
３.                                      重心
４.                                      定規
５.                                      水平面
６.                                      重り
７.                                      目盛り
８.                                      表面
９.                                      裏面
１０,１２.                         外周
１１.                                  中心線
【図１】
2011178003.tif 000003
【図２】
2011178003.tif 000004
【図３】
2011178003.tif 000005
【図４】
2011178003.tif 000006
【図５】
2011178003.tif 000007
【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
長尺状の両幅縁部の一方に重心が配置される定規であって、
滑らかな水平面に前記定規を置くことで、前記重心が前記水平面に近づき前記両幅縁部の他方が前記水平面から離れる第１状態と、
前記第１状態の前記両幅縁部の他方を指先で押して前記両幅縁部の一方に沿う中心線を中心に前記定規を回転させ前記水平面に押し当てた第２状態と、
を有し、
前記第２状態の前記定規から指先を離すことで、前記第１状態に戻ることを特徴とする定規。
【請求項２】
前記両幅縁部の一方に、前記定規の重り以外の部分よりも高密度の前記重りを備える、
請求項１に記載の定規。
【請求項３】
前記両幅縁部の他方に目盛りを備える、
請求項１から請求項２のいずれかに記載の定規。
【手続補正２】
【補正対象書類名】明細書
【補正対象項目名】全文
【補正方法】変更
【補正の内容】
【発明の詳細な説明】
【技術分野】
【０００１】
本発明は、定規に関する。
【背景技術】
【０００２】
定規においては、特許文献１の実施例のように、用紙面に置かれた定規を指先が僅かに貫通して直接用紙面に触れることができるような複数の穴を備えるアイデアが知られている。
【０００３】
また、定規においては、特許文献２の実施例のように、長尺状の定規の一端に用紙面から離れる部分を備え、その部分を用紙面に向けて指先で押圧することで定規の他端が用紙面から離れるので、定規を用紙面から容易に摘み上げることができるアイデアが知られている。
【先行技術文献】
【特許文献】
【０００４】
【特許文献１】特開２００６−０５１７８４号公報
【特許文献２】実用新案登録第３１３２７４８号公報
【発明の概要】
【発明が解決しようとする課題】
【０００５】
定規においては、用紙面に置いて線引き作業や切断作業を行う際に、筆記具やナイフの先端から定規の縁部に加わる力によって定規がずれ動きにくいようなアイデアが求められているが、特許文献１のようなアイデアでは様々な人の指先形状や手の大きさに貫通穴の形状やピッチが対応できない。
また、定規においては、用紙面から摘み上げ易いアイデアが求められているが、特許文献２のようなアイデアでは指先で押圧する部分が限定的で小さく、指先に痛みが伴うような強い圧力が加わる恐れがあり、且つ指先で押圧してから摘み上げるということで作業工程が増えてしまっている。
また、定規においては、使用したくなった際に卓上に在ってほしいが、使用しないときに定規が卓上に寝そべっていては邪魔であるし、長尺の定規は引き出し等に収納しにくい。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る定規は、例えば図１及び図２のように、
長尺状の両幅縁部の一方１に重心３が配置される定規４であって、
滑らかな水平面５に定規４を置くことで、重心３が水平面５に近づき両幅縁部の他方２が水平面５から離れる図２左図のような第１状態と、
前記第１状態の他方２を指先で押して一方１に沿う中心線１１を中心に定規４を回転させ水平面５に押し当てた図２右図のような第２状態と、
を有し、
前記第２状態の定規４から指先を離すことで、前記第１状態に戻ることを特徴とする定規である。
【０００８】
発明２に係る定規は、発明１の定規において、
一方１に、定規４の重り６以外の部分よりも高密度の重り６を備える、定規である。
【０００９】
発明３に係る定規は、発明１から発明２のいずれかの定規において、
他方２に目盛り７を備える、定規である。
【発明の効果】
【００１０】
以上のように本発明では、第２状態で他方２を押圧する指先の力と、比較的重くされた一方１に働く重力によって、定規４を水平面５に比較的均一に押し当てることが容易となる。
加えて、第２状態の定規４から指先を離すことで自動的に第１状態に戻るので、すぐに定規４を摘み上げることができる。
加えて、第１状態の定規４は卓上の面積占有率が小さく、線引き等に使用しないときはペーパーウエイトとしても使用できるので、卓上の邪魔者の汚名を返上できる。
【００１１】
また発明２では、本発明の効果に加えて、一方１を比較的小さくできる。
【００１２】
また発明３では、本発明の効果に加えて、長さの測定が可能となる。
【図面の簡単な説明】
【００１３】
【図１】第１実施形態を第三角法で表した正面図と右側面図
【図２】第１実施形態の動作を２段階で表した右側面図
【図３】第２実施形態の第１状態の右側面図
【図４】第３実施形態の第１状態の右側面図
【図５】第４実施形態の第１状態の右側面図
【発明を実施するための形態】
【００１４】
本発明の第１実施形態を図１及び図２に基づいて説明する。
【００１５】
長さ２１センチメートル、幅３センチメートルの透明アクリル製長尺状の定規４は、両幅縁部の一方１が中心線１１を中心とする円柱形状であり、中心線１１に沿うように延びる半円柱形状の炭素鋼が重り６として、他方２から遠い側の円柱形状内にインサート成型されている。また、他方２は薄板状であり、表面８には１ミリメートル刻みの目盛り７が印刷されている。
図２左図の第１状態では、定規４全体の重心３が水平面５に近づく位置で静止している。ここで、他方２付近の表面８を指先で押して水平面５上で一方１の円柱形状の外周１０を転がすようにしてから水平面５に裏面９を押し当てることで、図２右図のような第２状態になる。第２状態では第１状態よりも重心３が水平面５から遠ざかっており、表面８を押していた指先を離すと、外周１０が水平面５上を転がるようにして第１状態に自動的に戻る。
【００１６】
本発明の第２実施形態を図３に基づいて説明する。
【００１７】
第２実施形態は、第１実施形態の構造を小変更したものであるので、変更箇所について記載する。
半円柱形状の重り６は外部に露出して、一方１の円柱形状の半分を構成しており、アクリルに対して接着されている。
【００１８】
本発明の第３実施形態を図４に基づいて説明する。
【００１９】
第３実施形態は、第２実施形態の構造を小変更したものであるので、変更箇所について記載する。
中心線１１及び重心３を含む平面に沿うように定規４の薄板状部分が延びており、図４のような第１状態から、裏面９を指先で押圧して水平面５上で円柱形状の外周１２を転がすようにすることでも第２状態に移行可能である。
【００２０】
本発明の第４実施形態を図５に基づいて説明する。
【００２１】
第４実施形態は、第１実施形態の構造を小変更したものであるので、変更箇所について記載する。
両幅縁部の一方１が中心線１１を外周１０の中心とする半円柱形状であり、透明アクリルによって薄板状部分と一体成型されており、重り６が無くなった為に一方１部分の体積が大きくなっている。
【符号の説明】
【００２２】
１.                                      一方
２.                                      他方
３.                                      重心
４.                                      定規
５.                                      水平面
６.                                      重り
７.                                      目盛り
８.                                      表面
９.                                      裏面
１０,１２.                         外周
１１.                                  中心線